(57)【要約】【課題】従来と同様の内容量を確保しつつ、全体を小型化することができるスパウト付きパウチ容器を提供する。【解決手段】パウチ１０は、外装シート１１、１２と、両外装シート１１、１２の下端部から内側に折り込まれてボトムガセット部を形成するボトムガセットシート１３と、両外装シート１１、１２の上部側に折り込まれてトップガセット部を形成するトップガセットシート１４とから構成されており、トップガセットシート１４は、外装シート１１、１２の上端部にそれぞれヒートシールされるシール部１４ａと、そのシール部１４ａの下端縁または下端縁近傍から立ち上がるガセット形成部１４ｂとを備えている。ガセット形成部１４ｂは、上端に向かって先細の台形状に形成されており、その上縁にスパウト２０が装着されていると共に、ガセット形成部１４ｂには、スパウト２０の両側に、上端縁から下端縁に至る罫線１４ｃがそれぞれ形成されている。【選択図】        図２
2009137601.tif 000002
【特許請求の範囲】
【請求項１】
パウチにスパウトが装着されたスパウト付きパウチ容器であって、
前記パウチは、表裏一対の外装シートと、両外装シートの下端部から内側に折り込まれてボトムガセット部を形成するボトムガセットシートと、両外装シートの上部側に折り込まれてトップガセット部を形成するトップガセットシートとから構成されており、
前記トップガセットシートは、表裏一対の前記外装シートの上端部にそれぞれヒートシールされる表裏一対のシール部と、それぞれの前記シール部の下端縁または下端縁近傍から立ち上がる表裏一対のガセット形成部とを備えており、
前記ガセット形成部は、上端に向かって先細に形成されており、その上縁に前記スパウトが挟み込まれた状態で、上縁及び両側縁が相互にヒートシールされていることを特徴とするスパウト付きパウチ容器。
【請求項２】
前記トップガセットシートには、そのガセット形成部に罫線が形成されている請求項１に記載のスパウト付きパウチ容器。
【発明の詳細な説明】
【技術分野】
【０００１】
この発明は、例えば、シャンプーやコンディショナー等の液体商品を充填する容器に適したスパウト付きパウチ容器に関する。
【背景技術】
【０００２】
例えば、ボトル容器に詰め替えるためのシャンプー等の液体商品を充填する容器としては、図９に示すように、自立性のあるパウチ５１に注口となるスパウト５５を装着したスパウト付きパウチ容器５０が採用されている。
【０００３】
前記パウチ５１は、内面が熱接着性を有する柔軟性シートによって形成された２枚の外装シート５２、５３の下端部に、同様の柔軟性シートによって形成されたガセットシート５４を二つ折りした状態で挟み込み、その両側縁及び下端縁をヒートシールすることによって形成したものであり、このパウチ５１における未シール状態の上端縁にスパウト５５を挟み込んだ状態で外装シート５２、５３の上端縁を相互にヒートシールすることによって、スパウト５５がパウチ５１に装着されている。
【０００４】
【特許文献１】特開２００４−２３１２１７号公報
【発明の開示】
【発明が解決しようとする課題】
【０００５】
ところで、上述したようなスパウト付きパウチ容器５０では、外装シート５２、５３の下端縁を接続しているガセットシート５４の存在によって、外装シート５２、５３の下端縁の幅方向の中央部が外側に広がるので、パウチ５１の底部側にはある程度の量の内容物を収容することができるが、外装シート５２、５３の上端縁同士は直接ヒートシールされているので、パウチ５１の上部側には十分な量の内容物を収容することができず、しかも、パウチ５１の上端縁から上方にスパウト５５が立ち上がっているので、容器全体の大きさの割に十分な内容量を確保することができないという問題があった。
【０００６】
そこで、この発明の課題は、従来と同様の内容量を確保しつつ、全体を小型化することができるスパウト付きパウチ容器を提供することにある。
【課題を解決するための手段】
【０００７】
上記の課題を解決するため、請求項１に係る発明は、パウチにスパウトが装着されたスパウト付きパウチ容器であって、前記パウチは、表裏一対の外装シートと、両外装シートの下端部から内側に折り込まれてボトムガセット部を形成するボトムガセットシートと、両外装シートの上部側に折り込まれてトップガセット部を形成するトップガセットシートとから構成されており、前記トップガセットシートは、表裏一対の前記外装シートの上端部にそれぞれヒートシールされる表裏一対のシール部と、それぞれの前記シール部の下端縁または下端縁近傍から立ち上がる表裏一対のガセット形成部とを備えており、前記ガセット形成部は、上端に向かって先細に形成されており、その上縁に前記スパウトが挟み込まれた状態で、上縁及び両側縁が相互にヒートシールされていることを特徴とするスパウト付きパウチ容器を提供するものである。
【０００８】
また、請求項２に係る発明は、請求項１に係る発明のスパウト付きパウチ容器において、前記トップガセットシートのガセット形成部に罫線を形成したのである。
【発明の効果】
【０００９】
以上のように、請求項１に係る発明のスパウト付きパウチ容器は、スパウトが装着されたトップガセット部を有しているので、パウチの上部側にも十分な量の内容物を収容することができ、従来のスパウト付きパウチ容器に比べて、パウチ自体の高さを低くすることができる。
【００１０】
また、トップガセット部を形成しているトップガセットシートが、表裏一対の外装シートの上端部にそれぞれヒートシールされるシール部と、それぞれのシール部の下端縁または下端縁近傍から立ち上がる一対のガセット形成部とを備えており、そのガセット形成部が、上端に向かって先細に形成されていると共に、その先端部にスパウトが装着されているので、内容物を充填した状態で、外装シートの上端部における幅方向の中央部を外側に広げると、立ち上がっているガセット形成部が下方側に窪み、これに伴って、スパウトが部分的または全体的にパウチ内に埋没した状態となるので、容器全体の高さをさらに小さくすることができる。
【００１１】
特に、請求項２に係る発明のスパウト付きパウチ容器では、トップガセットシートのガセット形成部に罫線が形成されているので、外装シートの上端部における幅方向の中央部を外側に広げてガセット形成部を窪ませる際、ガセット形成部が罫線に沿って折り込まれ、不規則な屈曲によるクラックの発生を抑えることができると共に、ガセット形成部の外観を損なうことなく、ガセット形成部を円滑かつ確実に窪ませることができるという効果が得られる。
【発明を実施するための最良の形態】
【００１２】
以下、実施の形態について図面を参照して説明する。図１及び図２に示すように、このスパウト付きパウチ容器１は、ポンプ式のボトル容器に詰め替えるためのシャンプーやリンス等の液体商品を充填するものであり、ポリエチレンやポリプロピレン等からなる熱接着性を有するシーラントフィルムの外面に、アルミホイル等のガスバリア性シート等を積層した二軸延伸ポリエステルフィルム等をラミネートした厚さ８０〜２００μｍ程度の柔軟性シートによって形成された、扁平状態に折り畳み可能なパウチ１０と、このパウチ１０に装着される、パウチ１０を形成している柔軟性シートのシーラントフィルムと同種の熱接着性樹脂からなるスパウト２０とから構成されている。
【００１３】
前記パウチ１０は、図２（ａ）、（ｂ）及び図３に示すように、表裏一対の外装シート１１、１２と、両外装シート１１、１２の下端部から内側に折り込まれてボトムガセット部を形成するボトムガセットシート１３と、両外装シート１１、１２の上部側に折り込まれてトップガセット部を形成するトップガセットシート１４とから構成されており、外装シート１１、１２の内面の周縁同士が相互にヒートシールされると共に、折り込まれたボトムガセットシート１３の内面の周縁が外装シート１１、１２の内面にヒートシールされることで、袋状に形成されている。また、ガセットシート１３の両側縁には、二つ折りした状態で相互に一致する切欠部１３ａがそれぞれ形成されており、この切欠部１３ａを介して、外装シート１１、１２の両側縁における下端部同士が部分的にヒートシールされている。
【００１４】
前記トップガセットシート１４は、表裏一対の外装シート１１、１２の上端部にそれぞれヒートシールされるシール部１４ａと、そのシール部１４ａの下端縁または下端縁近傍から立ち上がるガセット形成部１４ｂとを備えており、ガセット形成部１４ｂは、上端に向かって先細の台形状に形成されている。
【００１５】
前記ガセット形成部１４ｂ、１４ｂは、その両側縁及び上縁が相互にヒートシールされているが、両側縁の傾斜部分は、シール幅が２〜５ｍｍと小さくなっており、ガセット形成部１４ｂには、スパウト２０の両側に、上端縁から下端縁に至る罫線１４ｃがそれぞれ形成されている。
【００１６】
前記トップガセットシート１４は、図４（ａ）、（ｂ）に示すように、Ｗ字状に折り畳んだ状態で、外装シート１１、１２の間に挟み込み、その後、所定形状に切断することによって、同図（ｃ）、（ｄ）に示すように、２分割しているが、これに限定されるものではなく、予め、Ｖ字状に折り畳んだ２枚のシートを外装シート１１、１２の間に挟み込むようにしてもよい。
【００１７】
前記スパウト２０は、図２（ａ）に示すように、パウチ１０に充填された液体商品を注ぎ出すための口部本体２１と、この口部本体２１を開閉するスクリューキャップ２２と、口部本体２１に連設された、断面形状が舟形状または楕円形状の装着部２３とから構成されており、この装着部２３がガセット形成部１４ｂの上縁に挟み込まれた状態でヒートシールされている。
【００１８】
以上のように、このスパウト付きパウチ容器１は、スパウト２０が装着されたトップガセット部を有しているので、パウチ１０の上部側にも十分な量の内容物を収容することができ、従来のスパウト付きパウチ容器に比べて、パウチ自体の高さを低くすることができる。
【００１９】
また、トップガセット部を形成しているトップガセットシート１４が、表裏一対の外装シート１１、１２の上端部にそれぞれヒートシールされるシール部１４ａ、１４ａと、それぞれのシール部１４ａ、１４ａの下端縁または下端縁近傍から立ち上がる一対のガセット形成部１４ｂ、１４ｂとを備えており、そのガセット形成部１４ｂが、上端に向かって先細に形成されていると共に、その先端部にスパウト２０が装着されているので、内容物を充填した状態で、シール部１４ａ、１４ａがヒートシールされている外装シート１１、１２の上端部における幅方向の中央部を外側に広げると、図５に示すように、立ち上がっていたガセット形成部１４ｂが下方側に窪み、これに伴って、スパウト２０が全体的にパウチ１０内に埋没した状態となるので、容器全体の高さをさらに小さくすることができ、輸送、陳列を効率よく行うことができると共に、段積みした状態で梱包、陳列することもできる。また、従来に比べて容器全体の高さは小さくなっているが、パウチ１０には従来と同様の表示面積が確保されているので、十分なＰＯＰ効果を得ることもできる。
【００２０】
また、トップガセットシート１４のガセット形成部１４ｂの傾斜縁は、そのシール幅が２〜５ｍｍと小さく、しかも、ガセット形成部１４ｂには、スパウト２０の両側に、上端縁から下端縁に至る罫線１４ｃがそれぞれ形成されているので、外装シート１１、１２の上端部における幅方向の中央部を外側に広げてガセット形成部１４ｂを窪ませる際、ガセット形成部１４ｂが罫線１４ｃに沿って折り込まれ、不規則な屈曲によるクラックの発生を抑えることができると共に、ガセット形成部１４ｂの外観を損なうことなく、ガセット形成部１４ｂを円滑かつ確実に窪ませることができる。
【００２１】
また、トップガセットシート１４のうち、外装シート１１、１２と重なる領域、即ち、シール部１４ａ、１４ａが外装シート１１、１２に完全にシールされているので、ボトル容器に詰め替える際に液だまりすることがなく、充填された液体商品を最後まで確実に注出することができる。
【００２２】
また、スパウト付きパウチ容器１内に充填されたシャンプーやリンス等の液体商品を、ボトル容器に詰め替える際は、図６（ａ）、（ｂ）に示すように、トップガセットシート１４のシール部１４ａ、１４ａがヒートシールされている外装シート１１、１２の上端部の双方または一方を下方側に折り返すと、パウチ１０の上部が補強されるので、液体商品の充填量が少なくなることに伴うパウチ１０の折れを防止することができる。
【００２３】
また、立ち上がっているガセット形成部１４ｂ、１４ｂの外側に、外装シート１１、１２にシールされているシール部１４ａ、１４ａが立ち上がっており、シール部１４ａ、１４ａとガセット形成部１４ｂ、１４ｂとの連設部分が液ダレを受けるポケットとして機能するという効果も得られる。
【００２４】
なお、上述した実施形態では、トップガセットシート１４のシール部１４ａ、１４ａがヒートシールされている外装シート１１、１２の上端両側部同士を相互に接合していないが、これに限定されるものではなく、ガセットシート１３に形成された切欠部１３ａに相当する切欠部をトップガセットシート１４のシール部１４ａ、１４ａに形成し、この切欠部を介して、外装シート１１、１２の両側縁における上端部同士を部分的にヒートシールするようにしてもよい。
【００２５】
また、液体商品が充填されたスパウト付きパウチ容器１を店頭に陳列する場合は、陳列棚等に載置することになるが、例えば、図７に示すスパウト付きパウチ容器２のように、外装シート１２及び外装シート１２にヒートシールされるトップガセットシート１４のシール部１４ａの長さを長くして、シール部１４ａがヒートシールされている外装シート１２の上端部における外装シート１１の上端縁よりも高い位置に吊下穴１５を形成しておくと、同図に示すように、スパウト２０をパウチ１０内に埋没させることによって、吊り下げた状態で陳列することも可能である。
【００２６】
また、上述した実施形態では、ガセット形成部１４ｂにおけるスパウト２０の両側に、上端縁から下端縁に至る罫線１４ｃを形成しているが、これに限定されるものではなく、例えば、図８（ａ）、（ｂ）に示すように、スパウト２０を中心として、円弧状または放射状の罫線１４ｃを形成することも可能である。
【図面の簡単な説明】
【００２７】
【図１】この発明に係るスパウト付きパウチ容器の一実施形態を示す斜視図である。
【図２】（ａ）は同上のスパウト付きパウチ容器を示す側面図、（ｂ）は（ａ）のＸ−Ｘ線に沿った断面図である。
【図３】同上のスパウト付きパウチ容器を示す一部切欠部分側面図である。
【図４】（ａ）は同上のスパウト付きパウチ容器に使用されているトップガセットシートの切断前の状態を示す側面図、（ｂ）は同上のトップガセットシートの切断前の状態を示す断面図、（ｃ）は同上のトップガセットシートの切断後の状態を示す側面図、（ｄ）は同上のトップガセットシートの切断後の状態を示す断面図である。
【図５】同上のスパウト付きパウチ容器の第一の使用形態を示す斜視図である。
【図６】（ａ）、（ｂ）は同上のスパウト付きパウチ容器の第２、第３の使用形態を示す斜視図である。
【図７】他の実施形態であるスパウト付きパウチ容器を示す斜視図である。
【図８】（ａ）、（ｂ）はガセット形成部に形成される罫線の変形例を示す図である。
【図９】従来のスパウト付きパウチ容器を示す斜視図である。
【符号の説明】
【００２８】
１、２  スパウト付きパウチ容器
１０  パウチ
１１、１２  外装シート
１３  ボトムガセットシート
１４  トップガセットシート
１４ａ  シール部
１４ｂ  ガセット形成部
１４ｃ  罫線
１５  吊下穴
２０  スパウト
２１  口部本体
２２  スクリューキャップ
２３  装着部
【図１】
2009137601.tif 000003
【図２】
2009137601.tif 000004
【図３】
2009137601.tif 000005
【図４】
2009137601.tif 000006
【図５】
2009137601.tif 000007
【図６】
2009137601.tif 000008
【図７】
2009137601.tif 000009
【図８】
2009137601.tif 000010
【図９】
2009137601.tif 000011